(57)【要約】【課題】本発明は、より排出スタック性能の優れた排紙装置、及び自動原稿搬送装置を提供することを目的とする。【解決手段】シートを排出する排出ローラ９と、排出ローラ９から排出された原稿が載置される原稿排出用トレイ５と、原稿排出用トレイ５に載置された原稿を上方から押さえる押さえ部材１４を少なくとも有する押さえユニット１０と、排出される原稿が排出された後、押さえ部材１４を原稿の裏面側から上面側に移動させた後、押さえ部材１４によって原稿を上面側から押さえる動作をシートの排出が完了するまで繰り返すように押さえユニット１０を制御する制御ユニット４０とを備えた、排紙装置である。【選択図】図８
2008110847.tif 000002
【特許請求の範囲】
【請求項１】
シートを排出する排出ユニットと、
前記排出ユニットから排出されたシートが載置されるシート載置部と、
前記シート載置部に載置されたシートの上面側を押さえる押さえ部材を少なくとも有する押さえユニットと、
シートが新たに排出された後、前記押さえ部材を前記新たに排出されたシートの裏面側から上面側の上方に移動させた後、前記押さえ部材を下方に移動させることによって前記シートの上面側を押さえる動作を複数のシートの排出が完了するまで繰り返すように前記押さえユニットを制御する制御ユニットとを備えた、排紙装置。
【請求項２】
前記押さえ部材は、前記シート載置部の幅方向に沿って配置された棒状の部材であり、
前記押さえユニットは、
前記押さえ部材の少なくとも一方の端に一端が取り付けられており、他端が前記シート載置部に回動可能に取り付けられているアームと、
前記アームを回動させるための駆動ユニットとを有する、請求項１記載の排紙装置。
【請求項３】
前記押さえ部材は、前記シートの後端を押さえるコロであり、
前記押さえ部材を前記裏面側から前記上面側に移動させた時に、前記シートの後端が前記押さえ部材から滑り落ちることを促進させる方向にのみ前記コロを回転させるワンウェイクラッチを備えた、請求項２記載の排紙装置。
【請求項４】
前記駆動ユニットは、
前記アームを下方に付勢するバネ部材と、
前記アームを上方に引き上げるためのソレノイドとを有している、請求項２記載の排紙装置。
【請求項５】
前記排出されるシートのサイズを検知する検知ユニットを備え、
前記制御ユニットは、前記排出されるシートのサイズに伴って、前記押さえ部材を移動させるタイミングを変更するように制御を行う、請求項１記載の排紙装置。
【請求項６】
前記押さえ部材は、少なくとも前記シートが前記排出ユニットから排出されるまでの間、前記排出ユニットの排出口よりも下方の位置で、前記シート載置部に載置されたシートを押さえる、請求項１記載の排紙装置。
【請求項７】
画像形成装置の本体上面に設けられる自動原稿搬送装置であって、
読み取るための原稿を挿入する原稿挿入部と、
請求項１記載の排紙装置と、
前記原稿挿入部から、前記シート載置部へと前記原稿を搬送する原稿搬送路とを備え、
前記原稿は前記シートである、自動原稿搬送装置。
【発明の詳細な説明】
【技術分野】
【０００１】
本発明は、複写機、ファクシミリ、プリンタ等の画像形成装置に用いる排紙装置、及び自動原稿搬送装置に関する。
【背景技術】
【０００２】
一般的に、複数枚の原稿を自動で搬送し、原稿の画像データを読み取るための自動原稿搬送装置が、複写機の本体上面に載置されている。この自動原稿搬送装置において、原稿載置用トレイに載置された原稿は、本体上面に形成された原稿読取ユニット上を通過して原稿排出用トレイへと搬送される。
【０００３】
このようにして原稿排出用トレイへと排出された複数枚の原稿を整然と収容するために、排出された原稿を上方から押さえる機構を有する自動原稿搬送装置が開示されている（例えば、特許文献１参照。）。
【０００４】
この文献１の自動原稿搬送装置の構成図を図１４に示す。図１４に示すように、本体２の上方に配置されている従来の自動原稿搬送装置１０１では、原稿トレイ１０４に載置された原稿１０３がフィーダ１０５によって上側から１枚ずつ搬送路１０６へと送り込まれ、搬送ベルト１０８によってプラテン１０７の複写位置上を搬送され、排紙ロール１０９を通って排出トレイ１１０へと排出される。
【０００５】
この排出トレイ１１０上には、ソレノイド１１２、ピン１１３、及びアーム１１４から構成される原稿押さえ機構１１１が設けられており、排出トレイ１１０上に排出された用紙はアーム１１４の先端１１４ａに設けられているゴムパット１１６によって押さえられる。
【０００６】
そして、次の用紙が排紙ロール１０９を通って排出トレイ１１０に排出される際には、アーム１１４を上方へ移動させ、原稿１０３が排出トレイ１１０上に排出され後に、再びアーム１１４が下げられる。
【特許文献１】実開平１―１２３６６３号公報
【発明の開示】
【発明が解決しようとする課題】
【０００７】
しかしながら、原稿の保存状態によっては原稿が折れている場合や、カールしている場合があり、排出トレイ１１０上に原稿を排出した後、次の用紙を排出する際にアーム１１４を上方に移動すると、アーム１１４によって押さえられていた原稿の後端が折れ曲がる場合や、再びカールしたりする場合があった。
【０００８】
このように排出トレイ１１０上の原稿の後端がカールや折れ曲がった状態で、次の用紙が排出されると、カール部分に次に排出される用紙の先端が衝突し、排出トレイ１１０上から原稿が押し出される場合があった。又、先に排出された原稿の下側に潜り込み原稿の順番が変わることもあり、排出スタック性能が悪くなる場合があった。
【０００９】
本発明は、上記従来の自動原稿搬送装置の課題を考慮して、排出スタック性能のより優れた排紙装置、及び自動原稿搬送装置を提供することを目的とする。
【課題を解決するための手段】
【００１０】
上記目的を達成するために、第１の本発明は、
シートを排出する排出ユニットと、
前記排出ユニットから排出されたシートが載置されるシート載置部と、
前記シート載置部に載置されたシートの上面側を押さえる押さえ部材を少なくとも有する押さえユニットと、
シートが新たに排出された後、前記押さえ部材を前記新たに排出されたシートの裏面側から上面側の上方に移動させた後、前記押さえ部材を下方に移動させることによって前記シートの上面側を押さえる動作を複数のシートの排出が完了するまで繰り返すように前記押さえユニットを制御する制御ユニットとを備えた、排紙装置である。
【００１１】
又、第２の本発明は、
前記押さえ部材は、前記シート載置部の幅方向に沿って配置された棒状の部材であり、
前記押さえユニットは、
前記押さえ部材の少なくとも一方の端に一端が取り付けられており、他端が前記シート載置部に回動可能に取り付けられているアームと、
前記アームを回動させるための駆動ユニットとを有する、第１の本発明の排紙装置である。
【００１２】
又、第３の本発明は、
前記押さえ部材は、コロであり、
前記押さえ部材を前記裏面側から前記上面側に移動させた時に、前記シート後端が前記押さえ部材から滑り落ちることを促進させる方向にのみ前記コロを回転させるワンウェイクラッチを備えた、第２の本発明の排紙装置である。
【００１３】
又、第４の本発明は、
前記駆動ユニットは、
前記アームを下方に付勢するバネ部材と、
前記アームを上方に引き上げるためのソレノイドとを有している、第２の本発明の排紙装置である。
【００１４】
又、第５の本発明は、
前記排出されるシートのサイズを検知する検知ユニットを備え、
前記制御ユニットは、前記排出されるシートのサイズに伴って、前記押さえ部材を移動させるタイミングを変更するように制御を行う、第１の本発明の排紙装置である。
【００１５】
又、第６の本発明は、
前記押さえ部材は、少なくとも前記シートが前記排出ユニットから排出されるまでの間、前記排出ユニットの排出口よりも下方の位置で、前記シート載置部に載置されたシートを押さえる、第１の本発明の排紙装置である。
【００１６】
又、第７の本発明は、
画像形成装置の本体上面に設けられる自動原稿搬送装置であって、
読み取るための原稿を挿入する原稿挿入部と、
第１の本発明の排紙装置と、
前記原稿挿入部から、前記シート載置部へと前記原稿を搬送する原稿搬送路とを備え、
前記原稿は前記シートである、自動原稿搬送装置である。
【発明の効果】
【００１７】
本発明によれば、排出スタック性能のより優れた排紙装置、及び自動原稿搬送装置を提供することが出来る。
【発明を実施するための最良の形態】
【００１８】
以下に、本発明にかかる実施の形態について図面を参照しながら説明する。
【００１９】
（実施の形態１）
以下、本発明にかかる実施の形態１における自動原稿搬送装置について、図面を参照しながら説明するとともに、本発明の排紙装置の一例についても同時に述べる。
【００２０】
図１は、本実施の形態の複写機の外観図である。図１に示すように、本実施の形態の複写機は、本体２の上面３に載置された自動原稿搬送装置１を備えている。この上面３には、ユーザーが面上に載置した原稿の画像データを読み取るための読取ガラス３ｂと、自動原稿搬送装置１によって搬送される複数の原稿の画像データを連続的に読み取るための読取ガラス３ａが形成されている。
【００２１】
また、本実施の形態の自動原稿搬送装置１は、読み取られる原稿が載置される原稿挿入用トレイ４と、原稿挿入用トレイ４の下方に設けられた原稿排出用トレイ５と、上面に設けられた開閉可能な搬送カバー６とを備えている。又、原稿挿入用トレイ４には、原稿のサイズを検知するとともに、原稿を装置内にスムーズに送り込むためのガイド４ａが設けられている。このガイド４ａに設けられた接触抵抗等によって、ガイド４ａの位置に基づいて原稿サイズの検知が行われる。
【００２２】
又、本体２は、原稿の画像データに基づいて、用紙に画像を形成するための画像形成ユニットを備えている。この画像形成ユニットは、感光体ドラム並びに、その周囲に配置された帯電器、現像器、転写ローラ、クリーニングユニット等から構成されている。
【００２３】
図２は、図１の自動原稿搬送装置１の正面断面図である。尚、図２において、原稿が排出される方向が矢印Ｘで図示されている。図２では、原稿挿入用トレイ４の先端近傍には、フィーダ７が設けられており、原稿挿入用トレイ４上に載置された原稿が上側から１枚ずつＵ字搬送路８へと搬送される。原稿を搬送する際のフィーダ７等の駆動によって、原稿の搬送の開始が検知される。このＵ字搬送路８は、原稿挿入用トレイ４から図１に示す読取ガラス３ａ上を経由し、原稿排出用トレイ５へと形成されている。尚、Ｕ字搬送路８は矢印で図示されており、その一部のみが示されている。また、原稿排出用トレイ５へ原稿を排出する排出ローラ９が設けられている。更に、原稿排出用トレイ５には、排出された原稿を上方から原稿排出用トレイ５の載置面５ａ側へと押さえる原稿押さえユニット１０が設けられている。又、排出ローラ９の下流側には、読み取りガラス３ａで読み取られた面と反対側の面の画像を読み取るための読み取りユニット１２が設けられている。
【００２４】
次に、原稿押さえユニット１０について詳しく説明する。
【００２５】
図３は、原稿押さえユニット１０を示した図である。尚、図３は、図２における紙面反対側から原稿押さえユニット１０を見た状態を示す図である。又、図３においても、図２と同様に、原稿が排出される方向が矢印Ｘで図示されている。
【００２６】
図３に示すように、原稿押さえユニット１０は、回転軸１１と、回転軸１１の両端に固定されて設けられているアーム１３ａ、１３ｂと、アーム１３ａ、１３ｂの先端に取り付けられている棒状の押さえ部材１４を備えている。又、原稿押さえユニット１０には、アーム１３ｂを介して押さえ部材１４を駆動するための駆動ユニット２０が設けられている。
【００２７】
この回転軸１１は、その長手方向が用紙の排出方向に対して垂直方向（原稿排出用トレイ５の幅方向）になるように、原稿排出用トレイ５の原稿の載置面５ａより下方に配置されている（図２参照）。又、アーム１３ａ、１３ｂは、回転軸１１の長手方向に対して垂直方向に、互いに並行となるように形成されており、側壁５ｂの表面と実質上並行になるように配置されている（図２参照）。又、棒状の押さえ部材１４は、その両端でアーム１３ａ、１３ｂの先端に取り付けられており、回転軸１１と並行に配置されている。
【００２８】
更に、アーム１３ｂの回転軸１１寄りの外側表面には、突起１５が設けられている。この突起１５には、下方に配置されているバネ部材２１の一端２１ａが取り付けられている。更に、突起１５には、その上方に配置されているソレノイド２２の鉄芯２２ａの先端が取り付けられている。上記駆動ユニット２０は、バネ部材２１及びソレノイド２２によって構成されている。又、ソレノイド２２を制御するための制御ユニット４０が設けられている。
【００２９】
図４は、用紙押さえユニット１０及び原稿排出用トレイ５の側壁５ｂの内側に位置する筐体３０を示した斜視図である。図４に示すように、バネ部材２１の他端２１ｂは回転軸１１よりも下方に位置する支持部３１に取り付けられている。又、ソレノイド２２も筐体３０に取り付けられている。
【００３０】
図２には、ソレノイド２２の鉄芯２２ａを矢印Ｂ方向に引いている状態が示されている。この状態からソレノイド２２への通電を停止すると、バネ部材２１の弾性力によりアーム１３ａ、１３ｂ、は矢印Ａ方向に回動し、押さえ部材１４も下方に回動する。図２には、押さえ部材１４及びアーム１３ａ、１３ｂの下方に移動した状態が二点鎖線で示されている。
【００３１】
以上のように、制御ユニット４０によってソレノイド２２の制御をすることによって、押さえ部材１４を上下方向に移動させることが出来る。
【００３２】
尚、本発明の排出ユニットの一例は、本実施の形態１の排出ローラ９に相当し、本発明のシート載置部の一例は、本実施の形態１の原稿排出用トレイ５に相当する。又、本発明の押さえユニットの一例は、本実施の形態１の原稿押さえユニット１０に相当し、本発明の排紙装置は、本実施の形態１の排出ローラ９、原稿排出用トレイ５、原稿押さえユニット１０及び制御ユニット４０に相当する。又、本発明の検知ユニットの一例は、ガイド４ａ及びガイド４ａに設けられた接触抵抗等に相当する。
【００３３】
次に、上記構成の本実施の形態１の自動原稿搬送装置１の動作について説明する。
【００３４】
図２に示す原稿挿入用トレイ４に複数枚の原稿を載置すると、原稿のサイズが検知される。この検知は、一対のガイド４ａの位置によって行われる。そして、載置された原稿は、フィーダ７によって上側に位置する１枚の用紙がＵ字搬送路８に挿入され、読取ガラス３ａ上を経由して、排出ローラ９によって排出口８ａを経由して原稿排出用トレイ５上に載置される。この際、押さえ部材１４は、下方に配置されている。この状態を図５に示す。図５に示すように、押さえ部材１４が下方に配置された状態で原稿５０が排出されるため、押さえ部材１４は原稿５０の裏面５０ｃ側に配置されることになる。
【００３５】
この状態から、制御ユニット４０はソレノイド２２を制御して、鉄芯２２ａを引くと、押さえ部材１４が上方に回動する。この状態を図６に示す。図６は、載置面５ａを上方から見た図である。尚、図６において矢印Ｃにて、押さえ部材１４が移動する方向が示されている。更に、押さえ部材１４が上方（矢印Ｃ方向）に回動すると、図７（ａ）に示すように、原稿５０の後端５０ａ側が押さえ部材１４から滑り落ちて、原稿５０は載置面５ａ上に載置される。この状態が図７（ｂ）に示されている。図７（ｂ）に示すように、押さえ部材１４は原稿５０の上面側５０ｄの上方に配置されることになる。
【００３６】
そして、原稿５０が滑り落ちた後に、制御ユニット４０がソレノイド２２を制御することによって、押さえ部材１４が下方に移動する。移動した状態を図７（ｃ）に示す。図７（ｃ）に示すように、押さえ部材１４によって原稿５０は上面側５０ｄから押さえられる。
【００３７】
続いて、読み取りガラス３ａ上で読み取られた原稿５１が、排出ローラ９によって排出口８ａから排出されて、読み取りユニット１２によって原稿５１の他方の面が読み取られる。この読み取りユニット１２を通過する際に、原稿５１の先端が検知される。そして、検知された原稿５１は排出ローラ９によって排出され、原稿５０の上に載置される。このとき押さえ部材１４は下方に配置されている。この状態を図８（ａ）に示す。
【００３８】
次に、原稿５１の後端５１ａが排出口８ａから排出された後に、制御ユニット４０は押さえ部材１４を上方に移動させる。ここで、フィーダ７等の駆動によって原稿５１の搬送の開始が検知されてから、原稿５１の後端５１ａが排出口８ａから排出されるまでの時間は、原稿サイズによって変わるため、制御ユニット４０は読み取りユニット１２によって原稿が検知されてから押さえ部材１４を上方に移動するタイミングを原稿サイズに従って変更する。例えば、原稿サイズがＡ４の場合と、Ａ３の場合を比較すると、Ａ３サイズの方が原稿を排出するまでに要する時間が長くなるため、Ａ４の時と比較して、読み取りユニット１２によって原稿先端が検知されてから押さえ部材１４を上方に移動させるタイミングが遅くなることになる。
【００３９】
そして、押さえ部材１４が上方に移動することによって、原稿５０と同様に、原稿５１の後端５１ａも押さえ部材１４から滑り落ち、原稿５０上に載置される。この状態が図８（ｂ）に示されている。尚、滑り落ちる直前の原稿５１の状態が２点鎖線で示されている。
【００４０】
続いて、次の原稿が排出口８ａから排出されて、上記と同様の動作が繰り返される。
【００４１】
以上のように、本実施の形態の自動原稿搬送装置は、原稿の排出動作の間、既に排出された原稿の後端を押さえ続けているため、折れたり、カールしたりして傷んだ原稿を排出する場合でも、原稿が原稿排出用トレイから落下したり、用紙の順番が入れ替わったりすることを防ぐことが可能となる。従って、本実施の形態１の自動原稿搬送装置によって原稿の排出スタック性能を向上することが出来る。
【００４２】
尚、本実施の形態１では、図５に示すように押さえ部材１４は、下方に移動する際には原稿排出用トレイ５の載置面５ａに当接して停止しているが、例えば、原稿排出用トレイ５の側壁５ｂに当接部を設け、その当接部にアーム１３ｂが当接して載置面５ａよりも上方で停止してもよい。この際、押さえ部材１４の停止位置は、少なくとも排出口８ａの下側である方がより好ましい。図９に当接部９０にアーム１３ｂが当接することによって押さえ部材１４が下方位置で停止している状態が示されている。
【００４３】
尚、本実施の形態１では、アーム１３ａ、１３ｂによって押さえ部材１４が支持されているが、図１０に示すように、片側のアーム１３ｂのみによって支持されていても良い。
【００４４】
（実施の形態２）
以下に、本発明にかかる実施の形態２における自動原稿排出装置について説明するとともに本発明の排紙装置の一例についても同時に述べる。本実施の形態２の自動原稿排出装置の基本的な構成は、実施の形態１と同じであるが、実施の形態１とは押さえ部材が異なっている。そのため、本相違点を中心に説明する。尚、実施の形態１と同一の構成要素については同一の符号を付している。
【００４５】
図１１は、本実施の形態２における自動原稿搬送装置１の原稿押さえユニット７０の側面図である。図１１に示すように、本実施の形態２の原稿押さえユニット７０は、押さえ部材１４の代わりに、コロ７１がアーム１３ａ、１３ｂの先端に回転可能に設けられている。又、コロ７１の軸７３にはワンウェイクラッチ７２が設けられており、矢印Ｄ方向にのみ回転可能に構成されている。また、コロ７１の表面はゴムなどの摩擦の大きい部材によって形成されている。この矢印Ｄ方向が、本発明の滑り落ちることを促進させる方向の一例に相当する。
【００４６】
本実施の形態２の自動原稿搬送装置１では、コロ７１が上方に移動し、原稿５０の後端５０ａが滑り落ちる際に、図１２（ａ）に示すようにコロ７１が矢印Ｄ方向に回転するため、原稿５０の後端５０ａが滑り落ちやすくなっている。この矢印Ｄ方向は、図１２に示すように、コロ７１の表面における最も低い位置が排出口８ａ側を経由して最も高い位置に来るように回転している。尚、図１２（ｂ）のコロ７１の拡大図に、コロ７１の表面上における最も高い位置を７１Ｈ、排出口８ａ側の位置を７１Ｄ、最も低い位置を７１Ｌとして示す。
【００４７】
更に、図１３に示すように、原稿８１が排出される際に、すでに原稿排出用トレイ５上の最上面に載置されている原稿８０を摩擦力によって矢印Ｘ方向に押し出そうとしても、原稿８０を押さえているコロ７１は、矢印Ｄ方向にしか回転できないため、コロ７１の表面と原稿８０の摩擦によって、原稿８０がトレイ外（矢印Ｘ方向）へと押し出されることを防ぐことが出来る。
【００４８】
このように、本実施の形態２では、押さえ部材として一方向にのみ回転可能なコロを用いることによって、より排出スタック性能を向上させることが出来る。
【００４９】
尚、本実施の形態２では、軸７３の全体にコロ７１を配置したが、原稿排出用トレイ５の幅方向の中央部及び両端部にのみコロ７１を配置するような構成であっても良い。
【００５０】
又、本発明の駆動ユニットの一例として、上記実施の形態１、２ではソレノイド２２及びバネ部材２１が挙げられているが、モーター等によって回転軸１１を駆動することによって押さえ部材１４を移動させる構成であってもよく、要するに、押さえ部材を移動させることが出来る駆動ユニットでありさえすればよい。
【００５１】
又、本発明の排出装置は、自動原稿搬送装置の原稿排出用トレイに限らず、例えば、複写機において給紙カセットに収納されている用紙を排出する排出トレイに適用してもよい。
【００５２】
又、本発明のシートの一例は、実施の形態の紙に相当するが、ＯＨＰシート等であってもよい。
【産業上の利用可能性】
【００５３】
本発明の排紙装置、及び自動原稿搬送装置は、より優れた排出スタック性能を発揮できる効果を有し、複写機、ファクシミリ、プリンタ等の画像形成装置などとして有用である。
【図面の簡単な説明】
【００５４】
【図１】本発明にかかる実施の形態１における複写機の外観図
【図２】本発明にかかる実施の形態１における自動原稿搬送装置の断面図
【図３】本発明にかかる実施の形態１における用紙押さえユニットの構成斜視図
【図４】本発明にかかる実施の形態１における用紙押さえユニットが筐体に取り付けられている状態を示す図
【図５】本発明にかかる実施の形態１における自動原稿搬送装置の押さえ部材上に原稿が載置されている状態を示す断面図
【図６】本発明にかかる実施の形態１における自動原稿搬送装置の押さえ部材上原稿が載置されている状態を示す図
【図７（ａ）】本発明にかかる実施の形態１における自動原稿搬送装置の原稿排出時の動作を説明するための図
【図７（ｂ）】本発明にかかる実施の形態１における自動原稿搬送装置の原稿排出時の動作を説明するための図
【図７（ｃ）】本発明にかかる実施の形態１における自動原稿搬送装置の原稿排出時の動作を説明するための図
【図８】（ａ）、（ｂ）本発明にかかる実施の形態１における自動原稿搬送装置の原稿排出時の動作を説明するための図
【図９】本発明にかかる実施の形態１の変形例における自動原稿搬送装置の側面図
【図１０】本発明にかかる実施の形態１の変形例における自動原稿搬送装置の用紙押さえユニット及び駆動ユニット
【図１１】本発明にかかる実施の形態２における押さえユニットを示す構成斜視図
【図１２】（ａ）本発明にかかる実施の形態２における自動原稿搬送装置の原稿排出時の動作を説明するための図、（ｂ）（ａ）のコロ７１近傍の拡大図
【図１３】本発明にかかる実施の形態２における自動原稿搬送装置の原稿排出時の動作を説明するための図
【図１４】従来の自動原稿搬送装置の断面構成図
【符号の説明】
【００５５】
１  自動原稿搬送装置
２  本体
３  上面
４  原稿挿入用トレイ
５  原稿排出用トレイ
６  搬送カバー
７  フィーダ
８  Ｕ字搬送路
９  排出ローラ
１０  原稿押さえユニット
１１  回転軸
１３ａ、ｂ  アーム
１４  押さえ部材
１５  突起
１６  スリット
２０  駆動ユニット
２１  バネ部材
２２  ソレノイド
３０  筐体
３１  支持部
４０  制御ユニット
【図１】
2008110847.tif 000003
【図２】
2008110847.tif 000004
【図３】
2008110847.tif 000005
【図４】
2008110847.tif 000006
【図５】
2008110847.tif 000007
【図６】
2008110847.tif 000008
【図７（ａ）】
2008110847.tif 000009
【図７（ｂ）】
2008110847.tif 000010
【図７（ｃ）】
2008110847.tif 000011
【図８】
2008110847.tif 000012
【図９】
2008110847.tif 000013
【図１０】
2008110847.tif 000014
【図１１】
2008110847.tif 000015
【図１２】
2008110847.tif 000016
【図１３】
2008110847.tif 000017
【図１４】
2008110847.tif 000018